(57)【要約】【課題】レーザ光のスペクトル特性として、スペクトル幅の上限値以外の特性を用いて、露光されるパターンの線幅等の特性を制御する。【解決手段】レーザビームＬＢでレチクルＲ及び投影光学系ＰＬを介してウエハＷを露光する露光装置において、レーザビームＬＢのスペクトルの強度分布の積分値に基づいて定まる第１のスペクトル幅（９５％エネルギ純度幅E95%）と、レーザビームＬＢのスペクトルのピーク値に対して強度が所定割合まで低下するときの幅である第２のスペクトル幅（半値全幅FWHM）との比の値を用いて、ウエハＷ上への露光パターンの特性を制御する。【選択図】図１
2007142052.tif 000002
【特許請求の範囲】
【請求項１】
レーザ光をパターンに照射し、前記レーザ光で前記パターンを介して物体を露光する露光装置において、
前記レーザ光のスペクトルの強度分布の積分値に基づいて定まる第１のスペクトル幅と、前記レーザ光のスペクトルのピーク値に対して強度が所定割合まで低下するときの幅である第２のスペクトル幅との比の値を用いて、前記パターンの前記物体上への露光パターンの特性を制御することを特徴とする露光装置。
【請求項２】
前記レーザ光を発生するレーザ光源と、前記露光パターンの特性を制御する制御装置とを備え、
前記レーザ光源側から前記制御装置に、前記第１及び第２のスペクトル幅の情報を供給することを特徴とする請求項１に記載の露光装置。
【請求項３】
レーザ光をパターンに照射し、前記レーザ光で前記パターンを介して物体を露光する露光装置において、
前記レーザ光のスペクトルの強度分布の積分値に基づいて定まる第１のスペクトル幅の情報を記憶する記憶装置を備えたことを特徴とする露光装置。
【請求項４】
前記記憶装置は、前記レーザ光のスペクトルのピーク値に対して強度が所定割合まで低下するときの幅である第２のスペクトル幅の情報をさらに記憶することを特徴とする請求項３に記載の露光装置。
【請求項５】
前記第１のスペクトル幅と前記第２のスペクトル幅との比の値を用いて、前記パターンの前記物体上への露光パターンの特性を制御する制御装置をさらに備えたことを特徴とする請求項４に記載の露光装置。
【請求項６】
前記制御装置は、前記比の値を用いて、前記露光パターンの線幅、コントラスト、又は焦点深度のいずれかの特性を優先的に制御することを特徴とする請求項２又は５に記載の露光装置。
【請求項７】
前記制御装置は、前記露光パターンの線幅、コントラスト、及び焦点深度の特性をそれぞれ制御するための前記比の値を重み付け平均して得られる目標値を用いて前記比の値を制御することを特徴とする請求項２又は５に記載の露光装置。
【請求項８】
前記露光パターンの線幅の残差を補正するために、前記物体の傾斜角を制御するステージをさらに備えたことを特徴とする請求項６又は７に記載の露光装置。
【請求項９】
前記露光パターンの線幅の残差を補正するために、前記レーザ光の照明条件を制御する照明光学系をさらに備えたことを特徴とする請求項６から８のいずれか一項に記載の露光装置。
【請求項１０】
レーザ光をパターンに照射し、前記レーザ光で前記パターンを介して物体を露光する露光装置において、
他の露光装置の光近接効果を補正するためにパターン幅が補正されたマスクを用いて露光を行う際に、自己の光近接効果を補正するために、前記レーザ光のスペクトル幅を制御する制御装置を備えたことを特徴とする露光装置。
【請求項１１】
前記スペクトル幅は、前記レーザ光のスペクトルの強度分布の積分値に基づいて定まる第１のスペクトル幅を含むことを特徴とする請求項１０に記載の露光装置。
【請求項１２】
前記自己の光近接効果を補正するために、前記第１のスペクトル幅と、前記レーザ光のスペクトルのピーク値に対して強度が所定割合まで低下するときの幅である第２のスペクトル幅との比が制御されることを特徴とする請求項１１に記載の露光装置。
【請求項１３】
レーザ光を発生するレーザ光源において、
前記レーザ光のスペクトルの強度分布の積分値に基づいて定まる第１のスペクトル幅と、前記レーザ光のスペクトルのピーク値に対して強度が所定割合まで低下するときの幅である第２のスペクトル幅とを独立に制御する発光制御装置を備えたことを特徴とするレーザ光源。
【請求項１４】
レーザ光を発生するレーザ光源において、
前記レーザ光のスペクトルの強度分布の積分値に基づいて定まる第１のスペクトル幅と、前記レーザ光のスペクトルのピーク値に対して強度が所定割合まで低下するときの幅である第２のスペクトル幅との比の値を制御する発光制御装置を備えたことを特徴とするレーザ光源。
【請求項１５】
前記発光制御装置は、前記レーザ光のスペクトル幅に応じて、前記レーザ光の中心波長を制御することを特徴とする請求項１３又は１４に記載のレーザ光源。
【請求項１６】
前記レーザ光の中心波長は、前記レーザ光のスペクトルのピーク波長又は前記スペクトルの重心位置の波長であることを特徴とする請求項１５に記載のレーザ光源。
【請求項１７】
請求項１から１２のいずれか一項に記載の露光装置を用いて物体を露光することを特徴とする露光方法。
【請求項１８】
請求項１３から１６のいずれか一項に記載のレーザ光源から発生されるレーザ光をパターンに照射し、前記パターンを介して前記レーザ光で物体を露光するために、前記第１のスペクトル幅と前記第２のスペクトル幅との比を用いて、前記物体上での露光パターンの特性を制御することを特徴とする露光方法。
【請求項１９】
請求項１７又は１８に記載の露光方法を用いて物体上にデバイスパターンを転写する工程を含むデバイス製造方法。
【発明の詳細な説明】
【技術分野】
【０００１】
本発明は、レーザ技術及び露光技術に関し、更に詳しくは、レーザ光源を露光光源としてマスクパターンを基板上に転写する露光装置、及び該露光装置で行われる露光方法に関する。
【背景技術】
【０００２】
半導体素子等を製造するためのリソグラフィ工程で、レチクルのパターンをレジストが塗布されたウエハ（又はガラスプレート等）上に転写するために、ステッパーやスキャニング・ステッパーなどの露光装置が使用されている。近年、これらの露光装置においては、露光光源として例えば放電励起型でスペクトル狭帯域化パルス発振型のエキシマレーザ等のレーザ光源が用いられている。
【０００３】
そのレーザ光源から射出される露光ビームとしてのレーザ光のスペクトル幅については、特に投影光学系の色収差許容量から狭帯域化が要求される。この狭帯域化品位について、従来は、転写対象の所定パターンの像の線幅（いわゆるＣＤ；Critical Dimension）を最小にする観点から、スペクトル幅に特定の上限値を設けることが一般的に行われている。最近は、半導体素子などの更なる微細化に伴い、投影光学系の開口数の増大化（高ＮＡ化）が進み、その結果レーザスペクトルの狭帯域化も極限まで進行している。
【０００４】
また、近年、露光パターンの線幅のピッチ依存性である光近接効果（ＯＰＥ；Optical Proximity Effect）を事前に予測し、予めレチクルのパターン幅を補正しておくことで、ウエハ上で所望の線幅のパターンを得る光近接効果補正（ＯＰＣ；Optical Proximity Correction）と呼ばれるマスク補正技術が使用されている。このＯＰＣ後の線幅誤差を補正するために、投影光学系の開口数及び照明光学系の照明条件（コヒーレンスファクタ等）を微調整する方法が知られている（例えば、特許文献１参照。）
【特許文献１】米国特許出願公開第２００１／００２６４４８Ａ１号
【発明の開示】
【発明が解決しようとする課題】
【０００５】
上記の如く、ＯＰＣ補正されたレチクルを用いて露光を行う際に、レーザ光のスペクトル特性が変動して、転写されたパターンの線幅の誤差が許容値を超えて、かつその誤差が上記の照明条件等の微調整では補正しきれない場合には、ＯＰＣ補正量を変更して、レチクルの再設計を行う必要があるが、そのためのコストは大きいものとなる。
また、現在は、露光装置によってレーザ光のスペクトル特性が或る程度異なっているため、例えば或る露光装置用にＯＰＣを最適化して作成したレチクルは、他の露光装置には必ずしも最適でない。そのため、露光装置毎にＯＰＣ補正量を最適化したレチクルを作成するものとすると、レチクルの製造及び管理に要するコストが膨大なものとなる。同様に、１台の露光装置において、レーザ光源を別のメーカの装置に交換したり、複数のレーザ光源を切り替えて使用する場合にも、それぞれＯＰＣ補正量を最適化したレチクルを使用するのではコストが増大し、管理も煩雑になる。また、光近接効果以外に、投影像のコントラストや焦点深度等の特性も、レーザ光のスペクトル特性に対する依存性があるため、露光装置毎にそれらの特性にばらつきがあるという問題があった。そのため、従来のように単にレーザ光のスペクトル幅の上限値を定めるのみでは、その問題に対処できなくなりつつある。
【０００６】
本発明は斯かる点に鑑み、レーザ光のスペクトル特性を管理する際にスペクトル幅の上限値以外の特性を用いることができるレーザ技術及び露光技術を提供することを第１の目的とする。
本発明はさらに、レーザ光のスペクトル特性として、スペクトル幅の上限値以外の特性を用いて、露光されるパターンの線幅等の特性を制御できるレーザ技術及び露光技術を提供することを第２の目的とする。
【課題を解決するための手段】
【０００７】
本発明による第１の露光装置は、レーザ光をパターンに照射し、前記レーザ光で前記パターンを介して物体を露光する露光装置において、前記レーザ光のスペクトルの強度分布の積分値に基づいて定まる第１のスペクトル幅と、前記レーザ光のスペクトルのピーク値に対して強度が所定割合まで低下するときの幅である第２のスペクトル幅との比の値を用いて、前記パターンの前記物体上への露光パターンの特性を制御するものである。本発明によれば、例えばその第１及び第２のスペクトル幅の比の値を所定値に維持しながら、その第１のスペクトル幅を制御することによって、その露光パターンの線幅等の特性を容易に高精度に制御できる。
【０００８】
また、本発明による第２の露光装置は、レーザ光をパターンに照射し、前記レーザ光で前記パターンを介して物体を露光する露光装置において、前記レーザ光のスペクトルの強度分布の積分値に基づいて定まる第１のスペクトル幅の情報を記憶する記憶装置（５１）を備えたものである。本発明によれば、その第１のスペクトル幅の情報をスペクトル幅の上限値以外の特性として用いることができる。
【０００９】
また、本発明による第３の露光装置は、レーザ光をパターンに照射し、前記レーザ光で前記パターンを介して物体を露光する露光装置において、他の露光装置の光近接効果を補正するためにパターン幅が補正されたマスクを用いて露光を行う際に、自己の光近接効果を補正するために、前記レーザ光のスペクトル幅を制御する制御装置（５０）を備えたものである。本発明によれば、そのレーザ光のスペクトル幅を制御して、自己の光近接効果を補正することによって、他の露光装置用に光近接効果が補正されたマスクを用いて高精度に露光を行うことができる。
【００１０】
次に、本発明による第１のレーザ光源は、レーザ光を発生するレーザ光源において、前記レーザ光のスペクトルの強度分布の積分値に基づいて定まる第１のスペクトル幅と、前記レーザ光のスペクトルのピーク値に対して強度が所定割合まで低下するときの幅である第２のスペクトル幅とを独立に制御する発光制御装置（１６ｅ）を備えたものである。
また、本発明による第２のレーザ光源は、レーザ光を発生するレーザ光源において、前記レーザ光のスペクトルの強度分布の積分値に基づいて定まる第１のスペクトル幅と、前記レーザ光のスペクトルのピーク値に対して強度が所定割合まで低下するときの幅である第２のスペクトル幅との比の値を制御する発光制御装置（１６ｅ）を備えたものである。
【００１１】
これらの第１又は第２のレーザ光源を露光装置に用いて、その２つのスペクトル幅を制御するか、又はそのスペクトル幅の比の値が所定値になるように制御することによって、転写されるパターンの特性を容易に高精度に制御できる。
また、本発明による露光方法は、本発明の露光装置を用いてデバイスパターン等を感光体等の物体上に転写するものである。
【発明の効果】
【００１２】
本発明によれば、スペクトル幅の上限値以外のスペクトル特性を用いることができる。また、本発明において、第１及び第２のスペクトル幅を制御するか、又はそれらのスペクトル幅の比の値に基づいてスペクトル特性を制御する場合には、スペクトル幅の上限値以外の特性を用いて、露光パターンの線幅等の特性を制御できる。
【発明を実施するための最良の形態】
【００１３】
以下、本発明の第１の実施形態につき図１〜図５を参照して説明する。
図１は、本例の露光装置１０の構成を概略的に示し、この露光装置１０は、露光光源にレーザ光源を用いたステップ・アンド・スキャン方式の走査型露光装置である。図１において、露光装置１０は、レーザ光源としてのレーザ装置１６及び照明光学系１２を含む照明系、この照明系により照明されるマスクとしてのレチクルＲを保持して所定の走査方向に移動するレチクルステージＲＳＴ、レチクルＲのパターンの像を物体（感光体）としてのウエハＷ上に投影する投影光学系ＰＬ、ウエハＷを保持して平面内を移動するＸＹステージ１４、及びこれらの制御系等を備えている。以下、図１において、投影光学系ＰＬの光軸ＡＸに平行にＺ軸を取り、Ｚ軸に垂直な平面内で図１の紙面に垂直な方向にＸ軸を、図１の紙面に平行な方向にＹ軸を取って説明する。
【００１４】
レーザ装置１６としては、一例として、ＫｒＦエキシマレーザ（発振波長２４８．３８５ｎｍ）が用いられているものとする。なお、レーザ装置１６として、ＫｒＦエキシマレーザに代えて、ＡｒＦエキシマレーザ（発振波長１９３ｎｍ）やＦ2 レーザ（発振波長１５７ｎｍ）は勿論、金属蒸気レーザやＹＡＧレーザ、あるいは半導体レーザの高調波発生装置等を使用することも可能である。
【００１５】
レーザ装置１６は、図１に示すように、レーザ共振器１６ａ、該レーザ共振器１６ａから射出されるレーザビームＬＢの光路上に配置された透過率が９７％程度のビームスプリッタ１６ｂ、該ビームスプリッタ１６ｂの反射光路上に順次配置されたハーフミラー（又はビームスプリッタ）１６ｇ及びビームモニタ機構１６ｃ、基準光源１６ｈ、前記ビームモニタ機構１６ｃからの出力信号が入力されるレーザ制御装置１６ｅ（発光制御装置）、及び該レーザ制御装置１６ｅによって電源電圧などが制御されるレーザ電源部１６ｄ等を備えている。レーザ装置１６の前記構成各部（１６ａ〜１６ｅ、１６ｇ、１６ｈなど）は、ハウジング１７内に収納されている。レーザ共振器１６ａから射出され、ビームスプリッタ１６ｂを透過したレーザビームＬＢ（レーザ光）がハウジング１７の光透過部及び不図示の送光光学系を介して照明光学系１２に入射する。
【００１６】
レーザ共振器１６ａは、放電電極を含むエキシマレーザチューブ（レーザチャンバ）６４、該エキシマレーザチューブ６４の後側（図１における紙面内左側）に配置された全反射ミラー（リアミラー）６６、エキシマレーザチューブ６４の前側（図１における紙面内右側）に配置された低反射率ミラー（フロントミラー）６８、及びエキシマレーザチューブ６４とフロントミラー６８との間に配置された狭帯域化モジュール７０等を含む。この場合、リアミラー６６とフロントミラー６８とによって、共振器が構成され、コヒーレンシィを少し高めるようにされている。
【００１７】
狭帯域化モジュール７０は、一例としてエキシマレーザチューブ６４とフロントミラー６８との間のレーザビームＬＢの光路上に順次配置される固定のファブリ・ぺロー・エタロン（Fabry-Perot etalon）（以下、「エタロン」と略称する）と可変傾角のエタロンとを含んで構成される。エタロンは、２枚の石英板を所定の空隙（エアーギャップ）を空けて平行に対向させたもので、一種のバンドパスフィルタとして働く。固定のエタロンは粗調用で、可変傾角のエタロンは微調用である。これらのエタロンは、レーザ共振器１６ａから射出されるレーザビームＬＢのスペクトル幅を、ここでは自然発振スペクトル幅の約１／１００〜１／３００程度に狭めて出力する。また、可変傾角のエタロンの傾角を調整することにより、レーザ共振器１６ａから射出されるレーザビームＬＢの波長（中心波長）を所定範囲でシフトできる。
【００１８】
この他、例えば上記の粗調用のエタロンを取り去り、リアミラー６６の代りに波長選択素子としての反射型の回折格子（グレーティング）を傾斜可能に設けることにより、レーザ共振器を構成しても良い。この場合、グレーティングとフロントミラー６８とによって共振器が構成される。また、グレーティングと微調用のエタロンとによって前述と同様の機能の狭帯域化モジュールが構成される。この場合、グレーティングは波長設定時の粗調に用いられ、エタロンは微調に用いられる。レーザ装置１６には、その可変傾角のエタロン（又はグレーティング及び可変傾角のエタロン、あるいはグレーティングやプリズム）等の分光素子を駆動するための駆動機構１９が設けられている。駆動機構１９によって、エタロン及びグレーティングのうちいずれかの傾斜角を変更すれば、レーザ共振器から射出されるレーザビームＬＢの波長（発振波長）を所定範囲で変化させることができる。なお、狭帯域化モジュールを、例えばプリズムと回折格子（グレーティング）とを組み合わせたものによって構成することも可能である。
【００１９】
エキシマレーザチューブ６４内には、所定の混合比のレーザガス（これは媒体ガスであるクリプトンＫｒ、フッ素Ｆ2 及びバッファガスであるヘリウムＨｅから成る）が充填されている。このエキシマレーザチューブ６４には、不図示の排気バルブを介して例えばフレキシブルな排気管が接続されている。この排気管には、フッ素を卜ラップする除去用フィルタや排気用ポンプなどが設けられている。これは、フッ素の毒性を考慮し、除去用フィルタにより排気ガスを無害化した後に排気用ポンプにより装置の外部ヘ排出することにしたものである。
【００２０】
また、エキシマレーザチューブ６４には、不図示の給気バルブを介してフレキシブルなガス供給管の一端が接続され、このガス供給管の他端はＡｒ、Ｆ2、Ｈｅなどのガスボンベ（図示省略）に接続されている。上記各バルブは、主制御装置５０によって開閉制御される。主制御装置５０は、例えばガス交換の際等に、エキシマレーザチューブ６４内のレーザガスが所定の混合比及び圧力になるように調整する。また、エキシマレーザチューブ６４内部では、レーザの発振時には、不図示のファンによって常時レーザガスが循環されている。前記ハーフミラー１６ｇは、基準光源１６ｈからの光の光路上に位置している。さらに、ビームスプリッタ１６ｂとハーフミラー１６ｇとの間の光路上には、図１における紙面内左右方向（Ｙ方向）に移動して該光路を開閉する第１シャッタ２１が設けられ、また、基準光源１６ｈとハーフミラー１６ｇとの間の光路上には、図１における紙面直交方向（Ｘ方向）に移動して該光路を開閉する第２シャッタ２３が設けられている。
【００２１】
従って、ビームモニタ機構１６ｃには、ビームスプリッタ１６ｂで反射されたレーザビームＬＢ及び基準光源１６ｈからの光が入射可能な構成となっている。この場合、第１シャッタ２１及び第２シャッタ２３の開閉が主制御装置５０からの指令によって、レーザ制御装置１６ｅによって不図示のシャッタ駆動機構を介して制御され、レーザビームＬＢ及び基準光源１６ｈからの光がハーフミラー１６ｇを介して択一的にビームモニタ機構１６ｃに入射する。通常は、図１に示すように第１シャッタ２１は開状態にされ、第２シャッタ２３は閉状態にされる。
【００２２】
前記ビームモニタ機構１６ｃは、その内部にエネルギモニタとビームモニタ（スペクトルモニタ）とを含む。エネルギモニタは、例えばハーフミラー１６ｇの透過光路上に配置された不図示のハーフミラーの反射光路上に配置されている。このエネルギモニタとしては、高い応答周波数を有するＰＩＮ型フォトダイオードなどの受光素子が用いられる。このエネルギモニタからの光電変換信号（光量信号）はレーザ制御装置１６ｅに出力される。
【００２３】
ビームモニタとしては、例えばハーフミラー１６ｇの透過光路上に順次配置された集光レンズ、コリメータレンズ、エタロン、テレメータレンズ及びラインセンサ等を含むファブリペロー干渉計が用いられている。そのエタロンにレーザビームＬＢが入射すると、部分反射面での回折光（ホイヘンスの原理による二次波）はエアーギャップ間で反射と透過を繰り返す。この時、次式（１）を満たす入射角θの方向の光のみがエタロンを透過して強め合い、これにより、テレメータレンズの焦点面に干渉縞（フリンジパターン）が形成され、該フリンジパターンがテレメータレンズの焦点面に配置されたラインセンサによって検出される。
【００２４】
２・ｎ・ｄ・ｃｏｓθ＝ｍλ          …（１）
ここで、ｄはエアーギャップであり、ｎはエアーギャップの屈折率、ｍは次数を示す整数である。式（１）より、ｎ、ｄ、ｍが一定とすれば、波長λの違いによって焦点面に形成されるフリンジパターンが異なることがわかる。テレメータレンズの焦点面に配置されたラインセンサで検出される光強度の分布は、焦点面におけるラインセンサ長手方向に関して所定間隔で干渉縞に対応する山型のレーザビームＬＢのスペクトルが現れる。
【００２５】
図２（Ａ）及び（Ｂ）（横軸は波長λ、縦軸は光の強度Ｉ）はそれぞれそのスペクトルの一例を示し、本例では後述の方法で、図２（Ｂ）に示すように、そのスペクトルの強度分布の積分値に基づいて定まる第１のスペクトル幅として、そのスペクトルをピーク値ＩＰよりも低い所定レベルＩＬＰでスライスしたときの２つの波長λ３及びλ４の幅内の強度分布の積分値がそのスペクトルの強度分布の全積分値に対して９５％になるときの幅である９５％エネルギ純度幅（以下、スペクトル幅E95%という。）を検出する。さらに、本例では、図２（Ａ）に示すように、そのスペクトルのピーク値に対して強度が所定割合まで低下するときの幅である第２のスペクトル幅として、そのスペクトルのピーク値ＩＰに対して強度が１／２に低下するときのスペクトルの波長λ１及びλ２の幅である半値全幅（FWHM；Full Width Half Maximum)（以下、スペクトル幅FWHMという。）を検出する。本例では、次式で規定されるその２つのスペクトル幅の比の値（以下、スペクトル比という）を用いて、ウエハ上に露光されるパターンの特性を制御する。なお、スペクトル比として（２）式の逆数を用いてもよい。
【００２６】
スペクトル比＝E95%／FWHM            …（２）
また、各光強度分布の山のピークに対応するラインセンサ長手方向の位置は、中心波長に応じて定まる。すなわち、前述のフリンジパターンは、入射光の中心波長λｃ、スペク卜ル幅FWHM，E95%に対応したものとなっており、ビームモニタ機構１６ｃ内部のビームモニタからこのフリンジパターンの撮像信号がレーザ制御装置１６ｅに出力される。その中心波長としては、スペクトルのピーク波長λｐ又は強度分布の重心位置の波長（重心波長）λｇを用いることができる。
【００２７】
図１に戻り、レーザ装置１６のハウジング１７内におけるビームスプリッタ１６ｂの照明光学系側には、主制御装置５０からの制御情報に応じてレーザビームＬＢを遮光するためのシャッタ１６ｆも配置されている。また、レーザ電源部１６ｄは、高圧電源と、この高圧電源を用いてエキシマレーザチューブ６４内部の不図示の放電電極を所定のタイミングで放電させるパルス圧縮回路（スイッチング回路）等とを含んで構成されている。レーザ制御装置１６ｅは、前述のフリンジパターンの撮像信号及びエネルギモニタの出力信号に所定の信号処理を施す画像処理回路及び所定の演算を行うコンピュータなどを含む。
【００２８】
また、レーザ制御装置１６ｅでは、通常の露光時には、前記エネルギモニタの出力に基づいて検出したエネルギパワーに基づいて、レーザ共振器１６ａから出力されるレーザビームＬＢの１パルスあたりのエネルギが、主制御装置５０からの制御情報により与えられる１パルスあたりのエネルギの目標値に対応した値となるように、レーザ電源部１６ｄ内部の高圧電源での電源電圧をフィードバック制御する。さらに、レーザ制御装置１６ｅは、主制御装置５０からの制御情報に基づきレーザ電源部１６ｄ内部のパルス圧縮回路に対するトリガ信号の印加タイミングあるいは印加間隔を制御することにより、ウエハＷ上のショット領域に対する露光中のパルス数あるいはパルス発振周波数をも制御する。
【００２９】
次に、基準光源１６ｈは、ビームモニタ機構１６ｃ内部のビームモニタの絶対波長キャリブレーションを行う際の基準光源であって、固体狭帯化レーザが用いられる。本実施形態では、基準光源１６ｈとして、Ａｒ倍波レーザ光源（アルゴンイオン２倍高調波レーザ光源）が用いられている。このＡｒ倍波レーザ光源の中心波長は２４８．２５３ｎｍと、ＫｒＦエキシマレーザ装置の中心波長λ0＝２４８．３８５ｎｍに非常に近くそのリファレンスとして好適である。
【００３０】
ここで、レーザ制御装置１６ｅによって行われるビームモニタ機構１６ｃ内部のビームモニタの絶対波長キャリブレーションについて簡単に説明する。この際に、レーザ制御装置１６ｅでは第１シャッタ２１を開き、第２シャッタ２３を閉じた状態で、ビームモニタからのその時のレーザビームＬＢに対応するフリンジパターンの情報を得、その情報を内部の画像メモリに記憶する。
【００３１】
次に、レーザ制御装置１６ｅは、第１シャッタ２１を閉じて第２シャッタ２３を開いて基準光源１６ｈからの光をビームモニタ機構１６ｃに入射させる。そして、このときビームモニタから得られるフリンジパターンと画像メモリ内のフリンジパターン（その直前まで入射していたレーザビームＬＢのフリンジパターン）とを比較することにより、レーザビームＬＢの波長の基準波長からのずれを求め、この求めたずれを補正するように、狭帯域化モジュール７０を調整することによって、レーザビームＬＢの絶対波長キャリブレーションを行う。
【００３２】
ところで、上記のフリンジパターンの比較に際して、デコンボリューション処理を行う必要があるが、このデコンボリューションの対象となるコンボリューション関数（実測スペクトルのフリンジパターンの実スペクトルに対応するフリンジパターンに対する変化量）は各露光装置に固有のものであり、装置関数と呼ばれる量である。本実施形態では、基準光源としてＡｒ倍波レーザを用いており、このＡｒ倍波レーザのスペクトル幅（FWHM）は非常に狭く、０．０１ｐｍ以下であることから、帯域幅が無限に細い光とみなして、Ａｒ倍波レーザの実測波形を装置関数としてデコンボリューション処理を行うことができる。
【００３３】
次に、デコンボリューション処理（取得した装置関数によるスペクトル計算処理）について説明する。以下では、装置関数をｍｉ（λ）と記述する。このｍｉ（λ）を定期的に取得し直すことがビームモニタの較正になる。実測スペクトルをｓ（λ）とすると、ｓ（λ）は実スペクトルｆ（λ）と装置関数ｍｉ（λ）とのコンボリューション（記号＊で表す）と考えられるので、次式（３）が成立する。
【００３４】
ｓ（λ）＝ｆ（λ）＊ｍｉ（λ）                …（３）
ここで、標準的なデコンボリューションは、「測定データのフーリエ変換Ｓ（ω）」（ωは角周波数）を「装置関数のフーリエ変換Ｍ（ω）」で割って、その結果Ｆ（ω）をさらに逆フーリエ変換するという手順の計算を意味する。従って、次式（４ａ）の計算を行った後に、その計算結果を次式（４ｂ）で示されるように逆フーリエ変換（Ｆ-1）すれば、実スペクトル信号ｆ（λ）を取得することができる。
【００３５】
Ｆ（ω）＝Ｓ（ω）／Ｍ（ω）                  …（４ａ）
Ｆ-1〔Ｆ（ω）〕＝ｆ（λ）                    …（４ｂ）
このようにして、本実施形態では、レーザ制御装置１６ｅが、実スペクトル信号を得るためのデコンボリューションを行うことができ、実スペクトル信号に基づいて、正確なスペクトル特性に関する情報、即ち中心波長λｃ（λｐ又はλｇ）並びにスペクトル幅（E95%及びFWHM）の情報を得ることができる。なお、スペクトル特性に関する情報を求める機能の全部又は一部を主制御装置５０に設けることも可能である。
【００３６】
レーザ制御装置１６ｅは、スペクトルの中心波長λｃ及び上記の２つのスペクトル幅（E95%及びFWHM）の情報を主制御装置５０に送信し、主制御装置５０はそれらの情報をメモリ５１（記憶装置）に記憶する。そして、必要に応じて、主制御装置５０は、レーザビームＬＢの設定波長λ0 、スペクトル比（＝E95%／FWHM）（又はこの逆数でもよい）の目標値ＥＦ、及びスペクトル幅E95%（又はFWHM）の目標値の情報をレーザ制御装置１６ｅに送信する。
【００３７】
レーザ制御装置１６ｅは、主制御装置５０によって設定される設定波長λ0 に対する中心波長λｃのずれ量（波長ずれ量）Δλが小さくなるように、かつスペクトル比がその目標値ＥＦになり、スペクトル幅E95%（又はFWHM）がその目標値になるように、駆動機構１９を介して狭帯域化モジュール７０を制御する。なお、レーザ制御装置１６ｅは、必要に応じて、スペクトル幅E95%とスペクトル幅FWHMとを互いに独立に変化させることもできる。例えばスペクトル幅FWHMを固定して、スペクトル幅E95%を変化させるためには、図２（Ａ）のスペクトルにおいて、一例として、スペクトル幅FWHMを固定した状態で、強度がＩＰ／２よりも低い部分のスペクトルの幅を増減すればよい。
【００３８】
次に、照明光学系１２は、ビーム整形光学系１８、エネルギ粗調器２０、オプティカルインテグレータとしてのフライアイレンズ（この他に内面反射型インテグレータ又は回折光学素子なども使用できる）２２、照明系開口絞り板２４、ビームスプリッタ２６、第１リレーレンズ２８Ａ、第２リレーレンズ２８Ｂ、固定レチクルブラインド３０Ａ、可動レチクルブラインド３０Ｂ、光路折り曲げ用のミラーＭ及びコンデンサレンズ３２等を備えている。
【００３９】
エネルギ粗調器２０は、レーザ装置１６からのレーザビームＬＢを整形するビーム整形光学系１８の後方に配置されている。エネルギ粗調器２０に続くレーザビームＬＢの光路上にフライアイレンズ２２を介して照明系開口絞り板２４が配置されている。この照明系開口絞り板２４には、等角度間隔で、例えば通常照明用の円形開口を有する可変の開口絞り、小さな円形開口を備えコヒーレンスファクタ（σ値）が小さい小σ照明用の可変の開口絞り、輪帯照明用の輪帯状の開口絞り、及び変形光源法用に複数の開口を偏心させて配置して成る変形開口絞り（図１ではこのうちの２種類の開口絞りのみが図示されている）等が配置されている。照明系開口絞り板２４は、フライアイレンズ２２の射出面近傍、すなわち本実施形態では照明光学系１２の瞳面とほぼ一致する面に配置されている。
【００４０】
照明系開口絞り板２４は、主制御装置５０により制御されるモータ等の駆動装置４０により回転されるようになっており、いずれかの開口絞りをレーザビームＬＢの光路上に選択的に設定することで、照明条件が設定される。さらに、本例では、例えば輪帯照明用の開口絞りは、開口の外径及び内径が微調整可能に構成され、その開口形状の微調整によって照明条件を微調整できる。同様に、小σ照明及び通常照明を行う場合においても、開口絞りの開口の大きさを微調整することで、照明条件を微調整できるように構成されている。なお、照明系開口絞り板２４の代わりに、あるいはそれと組み合わせて、例えばズーム光学系、可動のアキシコン（円錐プリズム）、及び交換可能な回折光学素子を含み、ビーム成型光学系１８とオプティカルインテグレータ２２との間に配置される成形光学系を用いてもよい。
【００４１】
照明系開口絞り板２４から射出されるレーザビームＬＢ、すなわち露光ビームとしての照明光ＩＬの光路上に、透過率の大きなビームスプリッタ２６が配置され、この後方の光路上に、固定レチクルブラインド３０Ａ及び可動レチクルブラインド３０Ｂを介在させてリレーレンズ２８Ａ及び２８Ｂを含むリレー光学系が配置されている。
固定レチクルブラインド３０Ａは、レチクルＲのパターン面に対する共役面から僅かにデフォーカスした面に配置され、レチクルＲ上の照明領域４２Ｒを規定する矩形開口が形成されている。また、走査露光の開始時及び終了時にその可動レチクルブラインド３０Ｂを介して照明領域４２Ｒを更に制限することによって、不要な露光が防止される。リレーレンズ２８Ｂを経た照明光ＩＬは、光路折り曲げミラーＭ及びコンデンサレンズ３２を介してレチクルＲを照明する。一方、ビームスプリッタ２６で反射された照明光ＩＬは、集光レンズ４４を介して光電検出器よりなるインテグレータセンサ４６で受光され、インテグレータセンサ４６の光電変換信号が、主制御装置５０に供給される。その光電変換信号を用いることによって、ウエハＷに対する露光量制御が行われる。
【００４２】
また、レチクルステージＲＳＴ上にレチクルＲが吸着保持されている。レチクルステージＲＳＴは、ＸＹ平面内で微小移動可能であるとともに、レチクルステージ駆動系４８によって走査方向（Ｙ方向）に所定ストローク範囲で走査される。レチクルステージＲＳＴの位置は、レチクルステージＲＳＴ上に固定された移動鏡５２Ｒに測長ビームを照射するレーザ干渉計５４Ｒによって計測され、このレーザ干渉計５４Ｒの計測値が主制御装置５０に供給される。
【００４３】
投影光学系ＰＬとしては、例えば両側テレセントリックな縮小系（投影倍率は例えば１／４、１／５等）である屈折系が用いられているが、反射屈折系等も使用できる。前記の如く照明光ＩＬによりレチクルＲ上の照明領域４２Ｒが照明されると、その照明領域４２Ｒ内のパターンを投影光学系ＰＬによって縮小した像が、表面にレジスト（感光剤）が塗布されたウエハＷ上のスリット状の露光領域４２Ｗに投影される。
【００４４】
また、ＸＹステージ１４は、ウエハステージ駆動系５６によってＸＹ面内で走査方向であるＹ方向及びこれに直交するＸ方向に２次元的に移動される。このＸＹステージ１４上に、Ｚチルトステージ５８が搭載され、このＺチルトステージ５８上に不図示のウエハホルダを介してウエハＷが吸着保持されている。Ｚチルトステージ５８は、ウエハＷのＺ方向の位置（フォーカス位置）を調整すると共に、ＸＹ平面に対するウエハＷの傾斜角を調整する機能を有する。また、ＸＹステージ１４の位置は、Ｚチルトステージ５８上に固定された移動鏡５２Ｗに測長ビームを照射するレーザ干渉計５４Ｗにより計測され、このレーザ干渉計５４Ｗの計測値が主制御装置５０に供給される。さらに、図示省略されているが、レチクルＲの上方には、アライメント用の光学系（例えば顕微鏡など）が配置され、投影光学系ＰＬの側面にウエハアライメント用のセンサが配置されている。
【００４５】
また、制御系は、図１中、コンピュータよりなる主制御装置５０を含み、主制御装置５０は、走査露光時には、レチクルＲがレチクルステージＲＳＴを介して＋Ｙ方向（又は−Ｙ方向）に速度ＶＲで走査されるのに同期して、ＸＹステージ１４を介してウエハＷが露光領域４２Ｗに対して−Ｙ方向（又は＋Ｙ方向）に速度δ・ＶＲ（δはレチクルＲからウエハＷに対する投影倍率）で走査されるように、レーザ干渉計５４Ｒ，５４Ｗの計測値に基づいてレチクルステージ駆動系４８、ウエハステージ駆動系５６をそれぞれ介してレチクルステージＲＳＴ、ＸＹステージ１４の位置及び速度をそれぞれ制御する。また、ウエハＷのステッピングの際には、主制御装置５０ではレーザ干渉計５４Ｗの計測値に基づいてウエハステージ駆動系５６を介してＸＹステージ１４の位置を制御する。
【００４６】
また、主制御装置５０は、前述の如く、レーザ装置１６の発光タイミング、及び発光パワー等を制御するとともに、エネルギ粗調器２０、照明系開口絞り板２４をモータ３８、駆動装置４０をそれぞれ介して制御し、露光量制御及び照明条件の切り替えを行う。主制御装置５０には、記憶装置としてのメモリ５１及び入出力装置６２が接続されている。メモリ５１内には、上記のレーザ装置１６から射出されるレーザビームＬＢのスペクトル幅（E95%及びFWHM）並びにレーザビームＬＢの中心波長λｃの情報や、後述のスペクトル特性とウエハ上に露光されるパターンの特性としての種々の結像特性との関係を示す情報等が格納されている。
【００４７】
次に、本例の露光装置において、レーザ装置１６から射出されるレーザビームＬＢのスペクトル特性を制御して、ウエハＷ上に露光されるパターンの特性を制御する方法につき説明する。最初に、（１）パターン像の線幅のピッチ依存性である光近接効果（ＯＰＥ）の補正量、（２）投影像のコントラスト、（３）投影像の焦点深度（ＤＯＦ；Depth of Focus）を個別に制御する方法につき説明する。これらの制御をそれぞれＯＰＥ優先モード、コントラスト優先モード、及びＤＯＦ優先モードによる制御とも呼ぶことができる。
【００４８】
先ず、図３は、線幅が例えば解像限界に近い所定値で、ピッチが次第に大きくなる多数の周期的パターンを、所定の基準となる照明条件（例えば通常照明）のもとで図１の投影光学系ＰＬを介してウエハＷ上に転写した後、所定のプロセスによってウエハＷ上のレジストを現像して得られるレジストパターンの線幅であるＣＤ（Critical Dimension）のピッチ依存性（光近接効果）を示す。図３の横軸はピッチ（ｎｍ）、縦軸はＣＤ（ｎｍ）を示し、図３に示すように、光近接効果によってピッチが小さくなるほど線幅ＣＤは太くなる傾向にある。その線幅ＣＤのうち、最大値をＬmax、最小値をＬminとすると、(Ｌmax−Ｌmin)がピーク・バイアスＰＢ（Peak BIAS）である。このピーク・バイアスＰＢ（線幅ＣＤのばらつき）は、光近接効果の量を示すとともに、露光に用いられるレーザビームのスペクトル幅によって変化する。これはスペクトル幅によってレーザビームの光近接効果が変化することによる。
【００４９】
そこで、本例では図１のレーザビームＬＢのスペクトル幅FWHM及びE95%を所定量ずつ次第に変化させながら、それぞれ光近接効果によるピーク・バイアスＰＢを求める。なお、図３の結果からピーク・バイアスＰＢを求める方法には、実際に多数の周期的パターンを転写して得られるレジストパターンの線幅を走査型電子顕微鏡等で計測するテストプリント法（露光モード）と、例えば図１の主制御装置５０等のコンピュータによるシミュレーションによる方法とがある。コンピュータのシミュレーションによる方法は、露光工程が不要であるため、評価時間を短縮できるが、露光モードに比べて誤差が生じる恐れがある。そこで、例えば上記の基準となる照明条件において、スペクトル幅FWHM及びE95%を複数組の値に設定して、それぞれ露光モードで得られるピーク・バイアスＰＢ１と、シミュレーションによって得られるピーク・バイアスＰＢ２との誤差ΔＰＢ（＝ＰＢ２−ＰＢ１）を求めてメモリ５１に記憶しておき、スペクトル幅FWHM及びE95%を異なる値に設定したときには、シミュレーションによって得られるピーク・バイアスＰＢ２を、その記憶してある誤差ΔＰＢを補間した値で補正してもよい。これによって、シミュレーション精度を高めることができる。同様に、後述のコントラスト特性及び焦点深度特性のスペクトル幅との関係を求める場合にも、露光モード又はコンピュータによるシミュレーションのいずれの方法も使用できるが、シミュレーションによれば評価時間を短縮できる。
【００５０】
図４は、そのようにして求めたスペクトル幅とピーク・バイアスＰＢとの関係（光近接効果）を示し、図４において、横軸はスペクトル幅FWHM、縦軸はスペクトル幅E95%であり、実線のほぼ等間隔の斜めの直線２Ａ，２Ｂ，２Ｃ，２Ｄ，２Ｅ，２Ｆ上でそれぞれピーク・バイアスＰＢは一定であり、かつ直線２Ａから直線２Ｆに向かって所定量ずつ次第にピーク・バイアスＰＢが大きくなっている。従って、ピーク・バイアスＰＢは、左下の領域ＬＢＡで小さく、右上の領域ＨＢＡで大きい（光近接効果の影響が大きい）。また、直線２Ｃと２Ｄとの間の領域Ａは、スペクトル幅（E95%及びFWHM）が実用的な範囲にあるとともに、ピーク・バイアスＰＢが光近接効果補正を行うのに適している領域である。
【００５１】
また、点線のほぼ等間隔の斜めの直線３Ａ〜３Ｆは、照明条件を上記の基準となる照明条件から変えた場合（例えば小σ照明）に、それぞれピーク・バイアスＰＢが一定となるとともに、次第にピーク・バイアスＰＢが大きくなる直線を示している。このように、照明条件やプロセスが変化すると、直線２Ａ〜２Ｆの傾斜角が変化する。直線２Ａ〜２Ｆより分かるように、傾き（＝E95%／FWHM）が所定値（ａ１とする）である直線２に沿ってピーク・バイアスＰＢ（光近接効果）が次第に大きくなっている。そこで、本例では、（２）式のスペクトル比（＝E95%／FWHM）をａ１に維持した状態で、スペクトル幅E95%（又はFWHM）を制御することによって、光近接効果を容易に、かつ高精度に制御することができる。具体的に、図１のレチクルＲの光近接効果補正（ＯＰＣ）を行う場合には、ピーク・バイアスＰＢが領域Ａの平均値であるとしてレチクルＲの各パターンの線幅の補正量を設定し、露光時には、そのスペクトル幅E95%の値を直線２に沿って領域Ａの中心付近に設定することによって、光近接効果を良好に補正でき、ひいてはウエハ上に投影されるパターンの線幅（ＣＤ）の誤差が低減される。
【００５２】
一方、図１のレチクルＲが他の露光装置用に光近接効果の補正量が最適化されており、図１の露光装置用には補正量が足りない（ピーク・バイアスＰＢが＋側に残存している）ような場合の露光時には、光近接効果によって発生するピーク・バイアスＰＢを少なくするように、そのスペクトル幅E95%の値を例えば直線２に沿って直線２Ｃに近い位置に設定すればよい。このようにレーザビームＬＢのスペクトル比を一定値にして、スペクトル幅を制御することによって、他の露光装置用に光近接効果の補正量が最適化されたレチクルを用いる場合にも、ウエハ上に露光される各パターンの線幅誤差を許容範囲内にすることができる。
【００５３】
次に、図５（Ａ）は、上記の基準となる照明条件において、スペクトル幅FWHM及びE95%を変えながら求めた、スペクトル幅と投影像のコントラストとの関係を示し、図５（Ａ）において、ほぼ等間隔のの斜めの直線４Ａ〜４Ｆ上でそれぞれコントラストは一定であり、かつ直線４Ａから直線４Ｆに向かって所定量ずつ次第にコントラストが小さくなっている。従って、コントラストは、左下の領域ＨＣＡで大きく、右上の領域ＬＣＡで小さい。また、直線４Ｃと４Ｄとの間の領域Ｂは、スペクトル幅（E95%及びFWHM）が実用的な範囲にあるとともに、コントラストが設計上で要求される範囲にある領域である。
【００５４】
なお、この場合にも、照明条件やプロセスが変化すると、直線４Ａ〜４Ｆの傾斜角は変化する。直線４Ａ〜４Ｆより分かるように、傾き（＝E95%／FWHM）が所定値（ａ２とする）である直線４に沿ってコントラストが次第に小さくなっている。そこで、本例では、（２）式のスペクトル比（＝E95%／FWHM）をａ２に設定した状態で、スペクトル幅E95%（又はFWHM）を制御することによって、投影像のコントラストを容易に、かつ高精度に制御することができる。
【００５５】
また、図５（Ｂ）は、上記の基準となる照明条件において、スペクトル幅FWHM及びE95%を変えながら求めた、スペクトル幅と投影像の焦点深度（ＤＯＦ）との関係を示し、図５（Ｂ）において、ほぼ等間隔の斜めの直線５Ａ〜５Ｆ上でそれぞれ焦点深度は一定であり、かつ直線５Ａから直線５Ｆに向かって所定量ずつ次第に焦点深度が小さくなっている。従って、焦点深度は、左下の領域ＨＤＡで大きく、右上の領域ＬＤＡで小さい。また、直線５Ｃと５Ｄとの間の領域Ｃは、スペクトル幅（E95%及びFWHM）が実用的な範囲にあるとともに、焦点深度が設計上で要求される範囲にある領域である。
【００５６】
この場合にも、照明条件やプロセスが変化すると、直線５Ａ〜５Ｆの傾斜角は変化する。直線５Ａ〜５Ｆより分かるように、傾き（＝E95%／FWHM）が所定値（ａ３とする）となる直線５に沿って焦点深度が次第に小さくなっている。そこで、本例では、スペクトル比（＝E95%／FWHM）をａ３に設定した状態で、スペクトル幅E95%（又はFWHM）を制御することによって、投影像の焦点深度を容易に、かつ高精度に制御することができる。
【００５７】
上述のように、本例によれば、レーザビームＬＢのスペクトル幅の上限値以外の特性であるスペクトル幅（E95%及びFWHM）及びスペクトル比（＝E95%／FWHM）を用いることによって、光近接効果による投影像の線幅ＣＤ、投影像のコントラスト、及び焦点深度の特性を容易に、かつ高精度に補正できる。
なお、例えば図４の基準の照明条件での光近接効果の影響を示す直線２Ａ〜２Ｆより分かるように、光近接効果の影響はほぼスペクトル幅E95%によるともみなすことができる。また、通常、スペクトル幅FWHMはほぼスペクトル幅E95%に連動している。従って、図１のメモリ５１には、スペクトル幅E95%の情報のみを記憶しておき、その情報から光近接効果の影響を推測するようにしてもよい。
【００５８】
なお、以上の実施形態とは異なり、光近接効果（線幅ＣＤのばらつき）の補正量、投影像のコントラスト、及び焦点深度に重み付けをして全体として良好な特性が得られるようにスペクトル幅を制御してもよい。このような制御は全最適化モードとも呼ぶことができる。そのためには、一例として、光近接効果の補正量、投影像のコントラスト、及び焦点深度を最適化するためのスペクトル幅E95%及びFWHMをそれぞれＥ１，Ｅ２，Ｅ３及びＦ１，Ｆ２，Ｆ３として、光近接効果、投影像のコントラスト、及び焦点深度に対する重みをｗ１、ｗ２、及びｗ３とすると、全体として良好な特性が得られるスペクトル幅E95%及びFWHMを次式の加重平均ＥＴ及びＦＴとすればよい。この場合には、スペクトル幅E95%及びFWHMを独立に設定できることが望ましい。
【００５９】
ＥＴ＝（ｗ１・Ｅ１＋ｗ２・Ｅ２＋ｗ３・Ｅ３）／（ｗ１＋ｗ２＋ｗ３）…（５ａ）
ＦＴ＝（ｗ１・Ｆ１＋ｗ２・Ｆ２＋ｗ３・Ｆ３）／（ｗ１＋ｗ２＋ｗ３）…（５ｂ）
上記のようにスペクトル比（＝E95%／FWHM）と露光されるパターンの特性との関係、例えば図４の直線２の傾きは、照明条件やプロセスによって変化する。そこで、例えば照明条件が変化した場合にも最適なスペクトル幅を容易に設定できるように、スペクトル幅E95%及びFWHMを、それぞれ基準となる照明条件での幅(E95%)Nominal 及び(FWHM)Nominal と、照明条件が変化したときの変化量である安定度(E95%)Stability 及び(FWHM)Stability とに分けておき、照明条件の変更時には、次式の値の範囲が例えば図４の領域Ａ内に入るように、基準となる照明条件でのスペクトル幅を求めてもよい。
【００６０】
E95%＝(E95%)Nominal±(E95%)Stability        …（６ａ）
FWHM＝(FWHM)Nominal±(FWHM)Stability        …（６ｂ）
（６ａ）式、（６ｂ）式を用いることによって、本例の露光装置の全稼動時間において、レーザ装置１６内部における条件変化に関わらず、全ての照明条件下においてレーザビームＬＢのスペクトル幅を高精度に制御できる。この場合にも、（２）式のスペクトル比（＝E95%／FWHM）は一定値であることが多いため、一方のスペクトル幅（例えばE95%）を規定することで、そのスペクトル比から他方のスペクトル幅（FWHM）が規定される。従って、光近接効果の補正量等に応じて必要とされるスペクトル幅の制御範囲を容易に求めることができる。
【００６１】
次に、本発明の第２の実施形態につき図６及び図７を参照して説明する。本例でも図１と同じ露光装置を用いるが、本例では図１のレーザ装置１６の代わりに別のレーザ装置１６Ａが使用されることがある点が異なっている。これは、図１の露光装置と同じ機種（世代）の露光装置において、露光光源として異なるメーカのレーザ装置１６及び１６Ａを併用するような場合、又はレーザ装置１６をレーザ装置１６Ａに交換するような場合に生ずる。なお、レーザ光源１６Ａの構造はレーザ光源１６と同様であるとする。
【００６２】
このように異なるレーザ光源１６，１６Ａを用いる場合にもウエハ上に露光されるパターンの特性を最適化するためには、それぞれレーザビームのスペクトル幅（E95%及びFWHM）を制御する必要がある。しかしながら、レーザ光源１６，１６Ａによって適正なスペクトル比（＝E95%／FWHM）が異なるとともに、（６ａ）式、（６ｂ）式における基準となる照明条件でのスペクトル幅(E95%)Nominal,(FWHM)Nominal と、照明条件が変化したときのスペクトル幅の安定度(E95%)Stability,(FWHM)Stability とが異なる場合には、レーザ光源毎にスペクトル幅を異なる最適値に設定する必要がある。
【００６３】
図６は、レーザ光源１６（光源Ａとも呼ぶ）及びレーザ光源１６Ａ（光源Ｂとも呼ぶ）のスペクトル幅の基準となる照明条件での値、及び照明条件が変化したときの安定度の一例を示し、この図６において、安定度(E95%)Stability,(FWHM)Stability の値が小さい領域は、スペクトル幅の変動が少なく、使用するのに好ましい領域である。
図７は、レーザ光源１６，１６Ａのスペクトル比（＝E95%／FWHM）の一例を示し、この図７の横軸はスペクトル幅FWHM、縦軸はスペクトル幅E95%であり、直線２Ａ〜２Ｆは図４と同様に、スペクトル幅（E95%及びFWHM）に対して光近接効果によるピーク・バイアスＰＢが同じ値になる直線を示すとともに、直線２Ｃと２Ｄとの間の領域Ａの中央でのピーク・バイアスＰＢによって、光近接効果補正を行ってレチクルを作成する際の線幅の補正量が設定されるものとする。また、図７において、直線６は、レーザ光源１６のスペクトル比（＝E95%／FWHM＝ａとする）を傾きとする直線であり、直線７は、レーザ光源１６Ａのスペクトル比（＝E95%／FWHM＝ａ’とする）を傾きとする直線であるとする。
【００６４】
この場合、直線６及び７に沿った離散的な点６Ａ，６Ｂ，６Ｃ，…、及び７Ａ，７Ｂ，７Ｃ，７Ｄ，…におけるスペクトル幅が、それぞれ図６に一部を示す基準となる照明条件でのスペクトル幅(E95%)Nominal,(FWHM)Nominal であり、例えば点６Ｂ及び７Ｇに示す矢印の幅の１／２が、その点における照明条件を変えたときのスペクトル幅の安定度(E95%)Stability,(FWHM)Stability である。本例では、レチクルパターンの光近接効果の補正量は図７の領域Ａの中心を目標として行われているため、そのレチクルを使用してウエハ上のパターンの線幅誤差を許容範囲内にするためには、レーザ光源１６及び１６Ａのスペクトル幅（E95%及びFWHM）をそれぞれ直線６及び７に沿う領域Ａ１及びＡ２内に収める必要がある。
【００６５】
そのためには、一例として、レーザ装置１６（レーザ光源１６Ａも同様）について、図６（又はこれを拡張した図、以下同様）から領域Ａ１（又はＡ２）内に収まるスペクトル幅(E95%)Nominal,(FWHM)Nominal の候補値を検索し、これに対応する安定度(E95%)Stability,(FWHM)Stability を加算した値が領域Ａ１（又はＡ２）から外れないように、最終的にスペクトル幅(E95%)Nominal,(FWHM)Nominal を決定すればよい。スペクトル幅の制御精度を向上するためには、スペクトル幅(E95%)Nominal,(FWHM)Nominal をできるだけ細かい間隔で設定しておくことが望ましい。この際に、スペクトル幅の安定度(E95%)Stability,(FWHM)Stability としては、レーザ光源１６及び１６Ａにおいて制御可能なスペクトル幅の安定性も考慮しておくことが望ましい。そのためには、予めレーザ光源１６及び１６Ａにおいて制御可能なスペクトル幅の安定性の情報を図１の主制御装置５０に送信しておけばよい。
【００６６】
このようにしてレーザ光源１６，１６Ａ毎にスペクトル幅を設定することによって、レーザ光源を切り替えた場合にも、光近接効果補正が行われたレチクルを共通に使用して高精度に露光を行うことができる。
次に、本例において、より高精度にスペクトル幅の制御を行う方法につき説明する。そのため、図７の領域Ａを規定する２つの直線２Ｃ及び２Ｄをそれぞれ次式で表す。なお、直線２Ｃ及び２Ｄの傾きをｃ，ｃ’、切片をｄ，ｄ’として、スペクトル幅E95%をｙ（E95%）とする。
【００６７】
ｙ（E95%）＝ｃ×（FWHM）＋ｄ        …（７ａ）
ｙ（E95%）＝ｃ’×（FWHM）＋ｄ’    …（７ａ）
次に、レーザ光源１６及び１６Ａについて、それぞれスペクトル幅が図７の領域Ａに入るとき、即ちスペクトル幅（E95%及びFWHM）が次式を満たすときの基準となる照明条件でのスペクトル幅(FWHM)Nominal を図６から複数個選択する。
【００６８】
ｃ×（FWHM）＋ｄ≦ｙ（E95%）≦ｃ’×（FWHM）＋ｄ’  …（８）
次に、選択されたスペクトル幅(FWHM)Nominal を（７ａ）式、（７ｂ）式に代入してスペクトル幅(E95%)Nominalを求めた後、これに図６から選択された対応する安定度(E95%)Stability,(FWHM)Stability を加算したスペクトル幅が、図７の領域Ａ内に収まるようにスペクトル幅(E95%)Nominal,(FWHM)Nominal を決定し、これを図１のレーザ装置１６又は１６Ａのレーザ制御装置１６ｅに供給すればよい。
【００６９】
投影像のコントラスト若しくは焦点深度についても、同様にレーザ装置１６又は１６Ａ毎にスペクトル幅を最適化することで、レーザ光源を切り替えた場合にも最適な特性を得ることができる。また、第１の実施形態と同様に、個々の特性毎に最適化されたスペクトル幅の加重平均を行うことにより、光近接効果の補正、投影像のコントラスト、及び焦点深度について総合的に特性を最適化できる。
【００７０】
次に、上記の実施形態では、スペクトル幅（E95%及びFWHM）のみを制御していたが、その他に例えば残存している線幅誤差を補正するために、図１の照明光学系１２の照明条件の微調整やＺチルトステージ５８によるウエハＷのＸ軸又はＹ軸の周りの傾斜角であるチルト角θＸ又はθＹを制御してもよい。すなわち、照明条件の調整とチルト角の制御との少なくとも一方を、スペクトル幅の制御と併用しても良い。
先ず、例えば図１の照明系開口絞り板２４において通常照明用の開口絞りを設定している際に、照明条件を微調整するには、その開口絞りの開口径を微調整すればよい。同様に、輪帯照明を行っている際には、その開口の内径及び外径を微調整すればよい。この調整量は、例えばテストプリントを行って、転写されるパターンの線幅が所望の値になるように設定すればよい。なお、図１の照明系開口絞り板２４の代わりに前述の成形光学系が設けられている場合、例えば通常照明時にその微調整を行うためには、ズーム光学系により照明光学系の瞳面上での照明光の大きさを変化させればよいし、輪帯照明時にその微調整を行うためには、可動のアキシコンによりその輪帯比を変化させればよい。
【００７１】
次に、図８（Ａ）の分布Ｅ１は、図１の投影光学系ＰＬによる投影像の光量ＥＰの分布の一例を示し、横軸は位置Ｘ（又はＹ）であり、光量ＥＰがレジストの感光レベルＥＰｔｈを横切るときの幅ｄ１がレジストパターンの幅となる。また、図８（Ｂ）はその際に使用されているレーザビームのスペクトルの一例を、図８（Ｃ）は、図１のＺチルトステージ５８によるチルト角θＸ（又はθＹ）による投影像の線幅の変化の一例を示す。図８（Ｃ）において、Ｘ方向（又はＹ方向）の線幅ｄ１の投影像は、チルト角θＸが大きくなると次第に線幅が狭くなる。そこで、図８（Ａ）において、Ｚチルトステージ５８のチルト角θＸを制御することによって、投影像の光量は分布Ｅ２に変化してレジストパターンの線幅はｄ２に減少する。そこで、最終的な線幅ｄ２が所望の値になるようにチルト角θＸ（又はθＹ）を決定すればよい。
【００７２】
なお、上記各実施形態では、マスクとしてレチクルを用いる場合について説明したが、これに限らず、例えば非発光型画像表示素子（空間光変調器とも呼ばれる）の一種であるＤＭＤ（Digital Micro-mirror Device)を含む可変成形マスク（電子マスク）を用いてもよい。また、露光対象となる物体はウエハに限られるものでなく、例えばガラスプレートなどでもよい。
また、上記実施形態では、本発明がステップ・アンド・スキャン方式の走査型露光装置に適用された場合について説明したが、これに限らず、本発明は、ステップ・アンド・リピート方式の露光装置（いわゆるステッパ）にも好適に適用できる。また、本発明は、例えば国際公開第２００４／０５３９５５号パンフレットなどに開示される、投影光学系ＰＬとウエハとの間に液体が満たされる液浸型露光装置などにも適用できる。
【００７３】
また、露光装置の用途としては半導体製造用の露光装置に限定されることなく、例えば、撮像素子（ＣＣＤ等）、液晶ディスプレイ、プラズマディスプレイ、薄膜磁気ヘッド、マイクロマシン及びＤＮＡチップなどを製造するための露光装置にも広く適用できる。このように、本発明は上述の実施の形態に限定されず、本発明の要旨を逸脱しない範囲で種々の構成を取り得る。
【産業上の利用可能性】
【００７４】
本発明は、半導体素子等の各種デバイスを製造する際に使用できる。また、本発明において、所定のスペクトル幅を制御することにより、例えば光近接効果補正を適用して作成された１枚のマスクを複数の露光装置で共通に使用することが可能となる。
【図面の簡単な説明】
【００７５】
【図１】第１の実施形態の露光装置の構成を概略的に示す図である。
【図２】スペクトル幅FWHM及びE95%の説明図である。
【図３】光近接効果による投影像の線幅の変化を示す図である。
【図４】スペクトル幅と光近接効果によるピーク・バイアスとの関係を示す図である。
【図５】（Ａ）はスペクトル幅とコントラストとの関係を示す図、（Ｂ）はスペクトル幅と焦点深度との関係を示す図である。
【図６】２つのレーザ光源のスペクトル特性の一例の一部を示す図である。
【図７】２つのレーザ光源のスペクトル比の一例を示す図である。
【図８】チルト角を制御して投影像の線幅を制御する動作の説明図である。
【符号の説明】
【００７６】
１０…露光装置、１２…照明光学系、１６…レーザ装置、１６ｅ…レーザ制御装置、５０…主制御装置、５１…メモリ、ＰＬ…投影光学系
【図１】
2007142052.tif 000003
【図２】
2007142052.tif 000004
【図３】
2007142052.tif 000005
【図４】
2007142052.tif 000006
【図５】
2007142052.tif 000007
【図６】
2007142052.tif 000008
【図７】
2007142052.tif 000009
【図８】
2007142052.tif 000010